(57)【要約】【課題】直感的なユーザの操作により、近距離無線通信デバイスの動作モードを切り替えることができ、更に、移動体通信端末に内蔵されたバッテリの無駄な消耗を防ぐことができる移動体通信端末を提供する。【解決手段】移動体通信端末１は、直感的なユーザの操作により、近距離無線通信デバイス２の動作モードを切り替えることができるように、デフォルト以外の動作モード毎に、タッチ操作またはモーション操作を用いたモード切替操作が定義され、近距離無線通信デバイス２の動作モードがデフォルトモードで、かつ、ホーム画面が表示されている際に、モード切替操作の実行を検知すると、実行されたモード切替操作に対応する動作モードに近距離無線通信デバイス２の動作モードを切り替えるモードスイッチ手段１０を備えている。【選択図】図２
2013255039.tif 000002
【特許請求の範囲】
【請求項１】
複数の動作モードを有する近距離無線通信デバイスが実装された移動体通信端末であって、
デフォルト以外の動作モード毎に、タッチ操作またはモーション操作を用いたモード切替操作が定義され、前記近距離無線通信デバイスの動作モードがデフォルトモードで、かつ、ホーム画面が表示されている際に、前記モード切替操作の実行を検知すると、実行された前記モード切替操作に対応する動作モードに前記近距離無線通信デバイスの動作モードを切り替えた後、一定時間が経過すると、前記近距離無線通信デバイスの動作モードをデフォルトの動作モードに切り替えるモードスイッチ手段を備えたことを特徴とする移動体通信端末。
【請求項２】
前記近距離無線通信デバイスをＮＦＣ（Near Field Communication）に準じたデバイスとし、デフォルトの動作モードをＮＦＣのカードエミュレーションモードとすることを特徴とする、請求項１に記載した移動体通信端末。
【請求項３】
前記移動体通信端末はタッチパネル付きの端末であって、ロングタッチ操作に続いてスライド操作するタッチ操作を前記モード切替操作とし、デフォルト以外の動作モード毎にスライド方向を定義したことを特徴とする、請求項１または請求項２のいずれか一項に記載した移動体通信端末。
【請求項４】
前記移動体通信端末は3次元加速度センサ付きの端末であって、前記移動体通信端末を所定の姿勢にするモーション操作を前記モード切替操作とし、デフォルト以外の動作モード毎に前記移動体通信端末の姿勢を定義したことを特徴とする、請求項１または請求項２のいずれか一項に記載した移動体通信端末。
【発明の詳細な説明】
【技術分野】
【０００１】
本発明は、複数の動作モードを有する近距離無線通信デバイスが実装された移動体通信端末に関し、更に詳しくは、近距離無線通信デバイスの動作モードを切り替えるための技術に関する。
【背景技術】
【０００２】
携帯電話やスマートフォンなどの移動体通信端末には、通信距離が１０ｃｍ程度の近距離無線通信の国際標準規格であるＮＦＣ（Near Field Communication）に準じた近距離無線通信デバイスが実装されることが多くなった。
【０００３】
ＮＦＣに準じた近距離無線通信デバイスを移動体通信端末に実装することで、ユーザは、ユーザが移動体通信端末を通信相手となる装置にかざすだけの簡単な操作により、近距離無線通信を用いるサービスを利用できるようになる。
【０００４】
近距離無線通信を利用する様々なアプリケーションに対応できるように、移動体通信端末を非接触ＩＣカードやＩＣタグとして機能させるカードエミュレーションモード、移動体通信端末を近距離無線通信のリーダライタとして機能させるリーダライタモード、移動体通信端末同士でメッセージを直接交換するＰ２Ｐモードの３つの動作モードがＮＦＣで規定され、ユーザは、ユーザが利用するアプリケーションに応じた動作モードに切り替える必要がある。
【０００５】
ＮＦＣに準じた近距離無線通信デバイスを実装した市販の移動体通信端末では、近距離無線通信デバイスのモードをリーダライタモードやＰ２Ｐモードに設定する場合、移動体通信端末の画面に表示されたメニューの中からＮＦＣにかかるメニューを選択した後、ＮＦＣにかかるメニューに登録されているアプリケーションの中から、リーダライタモードやＰ２Ｐモードに対応するアプリケーションを選択しなければならず、近距離無線通信デバイスの動作モードを切り替える操作が煩雑になっていた。
【０００６】
近距離無線通信デバイスが実装された移動体通信端末の操作を容易にする発明として、特許文献１において、近距離無線通信デバイスが実装された移動体通信端末のボタンを利用して、近距離無線通信による情報の書き込みおよび読み出しを容易に行えるようにした発明が開示されているが、この発明は、近距離無線通信デバイスの動作モードを切り替える発明ではない。
【０００７】
また、移動体通信端末に近距離無線通信デバイスを実装した場合、移動体通信端末に内蔵されたバッテリの無駄な消耗を防ぐ工夫が必要になるが、特許文献１の発明では、この工夫に関しては何ら考慮されていない。
【先行技術文献】
【特許文献】
【０００８】
【特許文献１】特開２００５−４５５５７号公報
【発明の概要】
【発明が解決しようとする課題】
【０００９】
そこで、本発明は、直感的なユーザの操作により、近距離無線通信デバイスの動作モードを切り替えることができ、更に、移動体通信端末に内蔵されたバッテリの無駄な消耗を防ぐことができる移動体通信端末を提供することを目的とする。
【課題を解決するための手段】
【００１０】
上記課題を解決する第１の発明は、複数の動作モードを有する近距離無線通信デバイスが実装された移動体通信端末で、直感的なユーザの操作により、前記近距離無線通信デバイスの動作モードを切り替えることができるように、前記移動体通信端末には、デフォルト以外の動作モード毎に、タッチ操作またはモーション操作を用いたモード切替操作が定義され、前記近距離無線通信デバイスの動作モードがデフォルトモードで、かつ、ホーム画面が表示されている際に、前記モード切替操作の実行を検知すると、実行された前記モード切替操作に対応する動作モードに前記近距離無線通信デバイスの動作モードを切り替えるモードスイッチ手段を備える。
【００１１】
また、第１の発明では、移動体通信端末に内蔵されたバッテリの無駄な消耗を防ぐことができるように、前記モードスイッチ手段は、前記モード切替操作に対応する動作モードに前記近距離無線通信デバイスの動作モードを切り替えた後、一定時間が経過すると、前記近距離無線通信デバイスの動作モードをデフォルトの動作モードに切り替える。
【００１２】
更に、上記課題を解決する第２の発明は、広く普及しているＮＦＣに対応を取れるように、第１の発明に記載した移動体通信端末において、前記近距離無線通信デバイスをＮＦＣに準じたデバイスとし、デフォルトの動作モードをＮＦＣのカードエミュレーションモードとすることを特徴とする。
【００１３】
更に、上記課題を解決する第３の発明は、タッチ操作により前記近距離無線通信デバイスの動作モードを切り替えることができるように、第１の発明または第２の発明において、前記移動体通信端末はタッチパネル付きの端末であって、ロングタッチ操作に続いてスライド操作するタッチ操作を前記モード切替操作とし、デフォルト以外の動作モード毎にスライド方向を定義したことを特徴とする。
【００１４】
更に、上記課題を解決する第４の発明は、モーション操作により前記近距離無線通信デバイスの動作モードを切り替えることができるように、第１の発明または第２の発明において、前記移動体通信端末は３次元加速度センサ付きの端末であって、前記移動体通信端末を所定の姿勢にするモーション操作を前記モード切替操作とし、デフォルト以外の動作モード毎に前記移動体通信端末の姿勢を定義したことを特徴とする。
【発明の効果】
【００１５】
このように、本発明によれば、直感的なユーザの操作により、近距離無線通信デバイスの動作モードを切り替えることができ、更に、移動体通信端末に内蔵されたバッテリの無駄な消耗を防ぐことができる移動体通信端末を提供できる。
【図面の簡単な説明】
【００１６】
【図１】本実施形態にかかる移動体通信端末を説明する図。
【図２】移動体通信端末に備えられる機能を説明する図。
【図３】近距離無線通信デバイスのモード遷移図。
【図４】モードスイッチ手段の動作を説明する図。
【図５】実施例１におけるモード切替操作を説明する図。
【図６】実施例２におけるモード切替操作を説明する図。
【図７】実施例３におけるモード切替操作を説明する図。
【発明を実施するための形態】
【００１７】
ここから、本発明の好適な実施形態について、図面を参照しながら詳細に説明する。図１は、本実施形態にかかる移動体通信端末１を説明する図である。なお、本発明において、移動体通信端末１とは、公衆無線通信を利用して通信する携帯可能な端末を意味し、具体的には、携帯電話やスマートフォンなどである。
【００１８】
本実施形態にかかる移動体通信端末１は、ユーザの簡単な操作により、ＮＦＣに準拠した近距離無線通信デバイス２の動作モードを切り替えることができるように開発された端末で、図１に図示したように、移動体通信端末１には、ＣＰＵ、ＲＡＭ、ＲＯＭなどが実装されたプロセッサ１ａが実装され、このプロセッサ１ａには、公衆無線通信にかかる処理を行う無線通信回路１ｂ、メモリ１ｃ、ＵＳＩＭ１ｅと通信するＩ／Ｏポート１ｄ、液晶や有機ＥＬなどのディスプレイ１ｆ、タッチパネルや操作パネルなどの操作回路１ｈ、時間を計測するタイマー１ｇ、３軸方向の加速度を検知する３次元加速度センサ１ｉに加え、通信距離が１０ｃｍ程度の近距離無線通信の国際標準規格であるＮＦＣに準じた近距離無線通信デバイス２が接続され、移動体通信端末１にはこれらの回路に電力を供給するバッテリ１ｊが内蔵される。
【００１９】
図２は、移動体通信端末１に備えられる機能を説明する図である。図２に図示したように、ＮＦＣに準拠した近距離無線通信デバイス２は、近距離無線通信を利用する様々なアプリケーションに対応できるように３つの動作モードを有している。一つ目の動作モードは、移動体通信端末１を非接触ＩＣカードやＩＣタグとして機能させるカードエミュレーションモード２０で、二つ目の動作モードは、移動体通信端末１を近距離無線通信のリーダライタとして機能させるリーダライタモード２１で、三つ目の動作モードは、移動体通信端末１同士でメッセージを直接交換するＰ２Ｐモード２２である。
【００２０】
また、ＮＦＣに準拠した近距離無線通信デバイス２の動作モードをユーザの操作により切り替えることができるように、プロセッサ１ａを動作させるコンピュータプログラムにより実現される手段として、図２に図示したように、本実施形態の移動体通信端末１は、デフォルト以外の動作モード毎に、タッチ操作またはモーション操作を用いたモード切替操作が定義され、近距離無線通信デバイス２の動作モードがデフォルトモードで、かつ、ホーム画面が表示されている際に、モード切替操作の実行を検知すると、実行されたモード切替操作に対応する動作モードに近距離無線通信デバイス２の動作モードを切り替えた後、一定時間が経過すると、近距離無線通信デバイス２の動作モードをデフォルトの動作モードに切り替えるモードスイッチ手段１０を備えている。
【００２１】
図３は、近距離無線通信デバイス２のモード遷移図である。本実施形態において、デフォルトとして設定されている動作モードはカードエミュレーションモード２０で、近距離無線通信デバイス２の動作モードがカードエミュレーションモード２０で、かつ、移動体通信端末１のディスプレイ１ｆにホーム画面が表示されているときに、リーダライタモード２１に切り替えるモード切替操作がなされると、移動体通信端末１のモードスイッチ手段１０は、近距離無線通信デバイス２の動作モードをカードエミュレーションモード２０からリーダライタモード２１に切り替える。
【００２２】
また、近距離無線通信デバイス２の動作モードがカードエミュレーションモード２０で、かつ、移動体通信端末１のディスプレイ１ｆにホーム画面が表示されているときに、Ｐ２Ｐモード２２に切り替えるモード切替操作がなされると、移動体通信端末１のモードスイッチ手段１０は、近距離無線通信デバイス２の動作モードをカードエミュレーションモード２０からＰ２Ｐモード２２に切り替える。
【００２３】
また、近距離無線通信デバイス２をカードエミュレーションモード２０以外の動作モードで動作させ続けると、移動体通信端末１に内蔵されたバッテリ１ｊが無駄に消費されてしまうため、モードスイッチ手段１０は、近距離無線通信デバイス２の動作モードをリーダライタモード２１またはＰ２Ｐモード２２に切り替えると、時間の計測を開始し、一定時間が経過すると、近距離無線通信デバイス２の動作モードをデフォルトのカードエミュレーションモード２０に切り替える。
【００２４】
図４は、移動体通信端末１に備えられたモードスイッチ手段１０の動作を説明する図である。移動体通信端末１のモードスイッチ手段１０は、移動体通信端末１の電源がＯＮになってからＯＦＦになるまで、図４で図示した手順に従い動作する。
【００２５】
移動体通信端末１のモードスイッチ手段１０は、移動体通信端末１で実行される操作を監視し、近距離無線通信デバイス２がカードエミュレーションモード２０のときに、タッチ操作またはモーション操作を用いたモード切替操作の実行を検知すると（Ｓ１）、移動体通信端末１のモードスイッチ手段１０は、移動体通信端末１のディスプレイ１ｆに表示されている画面がホーム画面であるか確認する（Ｓ２）。
【００２６】
移動体通信端末１のモードスイッチ手段１０は、移動体通信端末１のディスプレイ１ｆに表示されている画面がホーム画面でなければ、図４のＳ１に戻り、移動体通信端末１のディスプレイ１ｆに表示されている画面がホーム画面の場合、移動体通信端末１上で実行されたモード切替操作に対応する動作モードに近距離無線通信デバイス２の動作モードを切り替える（Ｓ３）。
【００２７】
移動体通信端末１のモードスイッチ手段１０は、モード切替操作に対応する動作モードに近距離無線通信デバイス２の動作モードを切り替えると、タイマー１ｇを利用して時間の計測を開始し、一定時間が経過すると（Ｓ４）、近距離無線通信デバイス２の動作モードをカードエミュレーションモード２０に切り替えて（Ｓ５）、図４のＳ１に戻る。
【００２８】
このように、本実施形態にかかる移動体通信端末１では、近距離無線通信デバイス２の動作モードがデフォルトモードで、かつ、ホーム画面が表示されている際に、タッチ操作またはモーション操作を用いたモード切替操作が実行されると、実行されたモード切替操作に対応する動作モードに近距離無線通信デバイス２の動作モードが切り替わるが、タッチ操作またはモーション操作を用いたモード切替操作の具体的な内容は、移動体通信端末１のハードウェア仕様に依存するため、ハードウェア仕様が異なる移動体通信端末１を例に挙げながらモード切替操作の具体例について説明する。
【００２９】
［実施例１］
実施例１は、本実施形態にかかる移動体通信端末１をタッチパネル３ａを有するスマートフォン３とした実施例で、タッチパネル３ａを有するスマートフォン３では、直感的な操作としてタッチ操作が実行可能なため、実施例１では、タッチ操作によりモード切替操作を実現している。
【００３０】
図５は、実施例１におけるモード切替操作を説明する図である。モード切替操作とするタッチ操作は様々考えられるが、実施例１では、指を押し続けるロングタッチ操作と指をスライドさせるスライド操作をモード切替操作に利用し、ロングタッチ操作に続くスライド操作をモード切替操作としている。
【００３１】
ロングタッチ操作に続くスライド操作をモード切替操作とするとき、デフォルト以外の動作モード毎（リーダライタモード２１およびＰ２Ｐモード２２）にスライド方向が定義され、ここでは、リーダライタモード２１には上方向が、Ｐ２Ｐモード２２には下方向が対応付けられている。
【００３２】
ロングタッチ操作に続くスライド操作であるモード切替操作を利用してスマートフォン３の動作モードを切り替えるとき、タッチパネル３ａの一部をユーザがロングタッチ操作すると、タッチパネル３ａの画面がホーム画面の場合、リーダライタモード２１とＰ２Ｐモード２２に対応付けられているスライド方向を表示する画面がタッチパネル３ａに表示される（図５（ａ））。
【００３３】
ユーザが、ロングタッチ操作に続き、切り替えたい動作モードに対応付けられているスライド方向にスライド操作すると、スマートフォン３の動作モードは、指をスライド操作させたスライド方向に対応する動作モードに切り替わる（図５（ｂ））。
【００３４】
図５では、リーダライタモード２１には上方向が、Ｐ２Ｐモード２２には下方向が対応付けられているため、ユーザがロングタッチ操作した指を上方向にスライド操作するとリーダライタモード２１に切り替わり、下方向にスライドするとＰ２Ｐモード２２に切り替わる。
【００３５】
［実施例２］
実施例２は、二つ折りタイプの携帯電話４を移動体通信端末１とした実施例で、二つ折りタイプの携帯電話４では、直感的な操作としてモーション操作が実行可能なため、実施例２では、二つ折りタイプの携帯電話４の姿勢を変更するモーション操作によりモード切替操作を実現している。なお、モーション操作の実行は、図１で図示した３次元加速度センサ１ｉから得られる信号により検出することができる。
【００３６】
図６は、実施例２におけるモード切替操作を説明する図である。二つ折りタイプの携帯電話４では、二つに折られた状態の携帯電話４を開くことでホーム画面が表示されるため、二つ折りタイプの携帯電話４が開いた状態が、動作モードを切り替えることができる条件になり、二つ折りタイプの携帯電話４の動作モードを切り替える前に、ユーザは、二つに折られた状態の携帯電話４を開く操作を行うことになる（図６（ａ））。
【００３７】
モーション操作をモード切替操作とする際、リーダライタモード２１およびＰ２Ｐモード２２毎に携帯電話４の姿勢が定義され、ここでは、リーダライタモード２１に水平姿勢が、Ｐ２Ｐモード２２には垂直姿勢が対応付けられている。
【００３８】
実施例２では、二つ折りタイプの携帯電話４を開いた状態で、該携帯電話４を水平姿勢にするモーション操作が実施されると、近距離無線通信デバイス２の動作モードがリーダライタモード２１に切り替わる（図６（ｂ））。また、二つ折りタイプの携帯電話４を開いた状態で、該携帯電話４を垂直姿勢にするモーション操作が実施されると、近距離無線通信デバイス２の動作モードがＰ２Ｐモード２２に切り替わる（図６（ｃ））。
【００３９】
［実施例３］
実施例３は、ストレートタイプの携帯電話５を移動体通信端末１とした実施例である。ストレートタイプの携帯電話５では、直感的な操作としてモーション操作が実行可能なため、実施例３では、実施例２と同様に、移動体通信端末１の姿勢を変更するモーション操作によりモード切替操作を実現している。
【００４０】
図７は、実施例３におけるモード切替操作を説明する図である。ストレートタイプの携帯電話５では、誤動作を防止するために画面ロック機能が備えられているため、画面ロックを解除することが、動作モードを切り替えることができる条件となり、ストレートタイプの携帯電話５の動作モードを切り替える前に、ユーザは、ストレートタイプの携帯電話５の画面ロックを解除する操作を行うことになる（図７（ａ））。
【００４１】
実施例２同様に、実施例３においても、リーダライタモード２１およびＰ２Ｐモード２２毎に携帯電話５の姿勢が定義され、ここでは、リーダライタモード２１に水平姿勢が、Ｐ２Ｐモード２２には垂直姿勢が対応付けられている。
【００４２】
実施例３では、ストレートタイプの携帯電話５の画面ロックを解除した状態で、該携帯電話５を水平姿勢にするモーション操作が実施されると、近距離無線通信デバイス２の動作モードがリーダライタモード２１に切り替わる（図７（ｂ））。また、ストレートタイプのの携帯電話５を開いた状態で、該携帯電話５を垂直姿勢にするモーション操作が実施されると、近距離無線通信デバイス２の動作モードがＰ２Ｐモード２２に切り替わる（図７（ｃ））。
【符号の説明】
【００４３】
１    移動体通信端末
１０  モードスイッチ手段
２    近距離無線通信デバイス
２０  カードエミュレーションモード
２１  リーダライタモード
２２  Ｐ２Ｐモード
【図１】
2013255039.tif 000003
【図２】
2013255039.tif 000004
【図３】
2013255039.tif 000005
【図４】
2013255039.tif 000006
【図５】
2013255039.tif 000007
【図６】
2013255039.tif 000008
【図７】
2013255039.tif 000009